(57)【特許請求の範囲】
【請求項１】
天井に埋め込み設置されるとともに下方を開口した器具本体と；
この器具本体内に長手方向に沿って取付けられた断面Ｖ字形の板金製Ｖカバー又は前記断面Ｖ字状の板金製バッフル本体を有するとともに、前記Ｖカバー又はバッフル本体の稜線近傍に取付孔が穿設されたカバー部と；
受光部を有しこの受光部を前記カバー部のＶカバー又はバッフル本体の内側の前記取付孔に対向する位置に配置して前記器具本体に取付けられ、リモコンから送信される送信信号を受けるリモコン受信部と；
モールド部品からなり、前記取付孔に挿入して取付けられるとともに、前記取付孔から突出された先端が前記器具本体の下方開口より下方に突出して配置された集収部材と；
を具備したことを特徴とする照明器具。
【請求項２】
前記集収部材は、前記Ｖカバー又はバッフル本体の下方に突出する略円筒形凸部と当該Ｖカバー又はバッフル本体の内面に沿った形状を有する支持部とからなることを特徴とする請求項１記載の照明器具。
【発明の詳細な説明】
【０００１】
【発明の属する技術分野】
本発明は、リモコンから送信される送信信号を受けるリモコン受信部を有する照明器具に関する。
【０００２】
【従来の技術】
従来、遠隔操作する照明器具は、図１１および図１２に示すものが一般に知られている。図１１に第１の従来技術に係る照明器具を示し、図１２に第２の従来技術に係る照明器具を示す。
【０００３】
第１の従来技術に係る照明器具は、図１１に示すように、器具本体２の下方両端に対向してそれぞれランプソケット３，３が並列に配置され、この器具本体２下方にねじ（図示せず）で断面形状がＶ字形をした逆富士形のＶカバー体５が取付けられ、当該Ｖカバー体５の両端両側から下方に向けてランプソケット３がそれぞれ突出している。これらランプソケット３，３間には、直管形蛍光ランプ４（以下「ランプ」という）が着脱自在に取付けられ逆富士形のＶカバー体５の両側にそれぞれ配置されている。
【０００４】
さらに、Ｖカバー体５の稜線６の一方端には矩形状をした開口孔７が穿設され、当該開口孔７に面した上部には、遠隔操作するリモコン（図示せず）から送信される送信信号を受けるリモコン受信部１０が配置され、当該リモコン受信部１０は器具本体２に図示しない方法で取付けられている。なお、リモコン受信部１０の受光部１１の面は、Ｖカバー体５の開口孔７より小さく形成されている。
【０００５】
第２の従来技術に係る照明器具は、図１２に示すように、器具本体２と、当該器具本体の下面両端両側にそれぞれ対向してランプ４が着脱自在に取付けられるランプソケット３，３および遠隔操作するリモコン（図示せず）から送信される送信信号を受光するリモコン受信部１０がそれぞれ配置されている。更に、器具本体２の下面両端中央には弾性板材からなる固定金具２１，２１がそれぞれ取付けられ、これら固定金具２１，２１に引掛けられてランプ４やリモコン受信部１０などを覆って透光材からなるセード２０が取付けられている。なお、第１の従来技術および第２の従来技術に於けるリモコン（図示せず）から送信信号を送信する送信部品として、例えば、赤外線の発光ダイオードが使用されている。
【０００６】
【発明が解決しようとする課題】
上記のように第１の従来に係る照明器具は、遠隔操作するリモコンから送信する送信信号を受けるリモコン受信部１０は、カバー部としての逆富士形をしたＶカバー体５内に配置され、当該Ｖカバー体５は、送信信号を透過しない板金で作られていることから、送信信号を受けるリモコン受信部１０は外観に出さなければならない。
【０００７】
このため、リモコン受信部１０の受光部１１と対向するＶカバー体５に矩形状開口孔７が穿設され、前記開口孔７と当該開口孔７からリモコン受信部１０の受光部１１が見えるため、外観を損ねるという問題があった。
【０００８】
第２の従来技術に係る照明器具は、リモコン受信部１０が、送信信号を透過する透光材からなるセード２０で覆われているため、第１の従来技術に係るような、外観を損ねるという問題はない。
【０００９】
しかし、リモコン受信部１０がセード２０で覆われているため、リモコン受信部１０の位置が特定できず、操作性が悪くリモコンの検知範囲が広くなるという問題があった。
【００１０】
本発明は上記の点に鑑みてなされたもので、操作性および外観を損ねることなく、リモコンの検知範囲を確保する照明器具を提供することを課題とする。
【００１１】
【課題を解決するための手段】
前記課題を達成するために、請求項１に係る本発明の照明器具は、天井に埋め込み設置されるとともに下方を開口した器具本体と；この器具本体内に長手方向に沿って取付けられた断面Ｖ字形の板金製Ｖカバー又は前記断面Ｖ字状の板金製バッフル本体を有するとともに、前記Ｖカバー又はバッフル本体の稜線近傍に取付孔が穿設されたカバー部と；受光部を有しこの受光部を前記カバー部のＶカバー又はバッフル本体の内側の前記取付孔に対向する位置に配置して前記器具本体に取付けられ、リモコンから送信される送信信号を受けるリモコン受信部と；モールド部品からなり、前記取付孔に挿入して取付けられるとともに、前記取付孔から突出された先端が前記器具本体の下方開口より下方に突出して配置された集収部材と；を具備したことを特徴とするものである。
【００１２】
請求項２に係る本発明の照明器具は、前記集収部材は、前記Ｖカバー又はバッフル本体の下方に突出する略円筒形凸部と当該Ｖカバー又はバッフル本体の内面に沿った形状を有する支持部とからなることを特徴とするものである。
【００１３】
上記の請求項１記載の構成において、リモコン受信部をカバー部である器具本体に取付けられるＶカバー又はバッフル本体で覆われる部分に配すると、リモコン受信部の位置が照明器具の外面から特定できず、操作性が悪くなることから、リモコンから発せられる送信信号を集収しやすくするため、カバー部であるＶカバー又はバッフル本体から外方に突出するモールド部品からなる集収部材を設けることにより、リモコン受信部の位置が特定できることからリモコンの検知範囲が定まり、操作性が向上する。
【００１４】
請求項２記載の構成において、集収部材をカバー部である器具本体に取付けられるＶカバー又はバッフル本体の外方に突出する略円筒形凸部と当該Ｖカバー又はバッフル本体の内面に沿った形状を有する支持部とからなる形状としたので、取付性が良い。
【００１５】
【発明の実施の形態】
以下、本発明の実施の形態に係る照明器具を、天井埋込形照明器具を参照して図１〜図１０に基づいて説明する。
【００１６】
天井埋込形照明器具は、図９に示すように、下方開口した長尺状の箱形で内面が反射面をなす器具本体１５と、この器具本体１５内の両端にそれぞれ取付けられる図示しないランプソケット取付台（以下「ＬＳ金具」という）と、前記器具本体１５内の長手方向に沿って中央に着脱自在に取付けられる断面Ｖ字形をした板金からなるＶカバー２５とから構成している。なお、Ｖカバー２５の材料としての板金は、従来技術の課題の項で説明したように、例えば赤外線からなる送信信号を透過しにくい材料である。
【００１７】
一方のＬＳ金具の両側にはランプソケット３，３がそれぞれ嵌入され、他方のＬＳ金具には両側にランプソケット３，３を中央に周囲の明るさを検知する明りセンサ３２を内蔵したセンサ収納部３１とからなるセンサ部一体形ランプソケット３０が嵌入され、これらランプソケット３，３間には着脱自在にランプ４が取付けられ、これらランプ４，４は、Ｖカバー２５の両側に沿ってそれぞれ配置されている。
【００１８】
明りセンサ３２は、図９（Ｃ）に示すように、逆台形状をしたセンサ収納部３１に内蔵され、当該センサ収納部３１の下面中央には、当該明りセンサの受光部３２ａと対向して受光孔３３が穿設している。なお、周囲の明るさを検出する明りセンサ３２として、例えば、街路灯の自動点滅器に使用されている光エネルギーを電気信号に変換する一種の変換器である光導電素子が使用されている。
【００１９】
更に、Ｖカバー２５に覆われた器具本体１５の天面部１６下面側には、図８に示すように、ランプを安定点灯する安定器１７と、リモコンの送信部から発せられる送信信号からなる光信号を受信するリモコン受信部１０と、明りセンサ３２で検知した検知信号によりランプを自動調光したり、リモコン受信部１０で受信した信号によりランプを点滅したり、或いは、照度設定する制御ユニット１８が取付けられている。
【００２０】
図１は図９で説明したＶカバー２５に代えて、長手方向に沿って幅方向に板金からなるバッフル板４１が複数枚取付けられた断面形状がＶ字状をなす板金からなるバッフル本体４２とからなるバッフル４０が、器具本体１５に着脱可能に取付けた天井埋込形照明器具を示すもので、この天井埋込形照明器具は、被取付面である天井８に穿設された取付孔９に埋込まれ、スラグ（図示せず）から吊下げられた複数の吊下げボルト（図示せず）にナット（図示せず）で締付固定されている。なお、Ｖ字状のバッフル本体４２の断面形状は、Ｖカバー２５の断面形状と同一形状に形成されていることを前提で説明をしていく。
【００２１】
リモコン受信部１０は、前記バッフル本体４２の稜線上内側に配置され、器具本体１５の天面部１６に図示しないねじで取付けられている。なお、リモコン受信部１０は、図２に示すような構成部品に組み付けられ、器具本体１５の天面部１６に取付けられている。
【００２２】
さらに、リモコン受信部１０の受光部１１と対向するＶ字状のバッフル本体４２の稜線近傍には、当該受光部１１の面より大きめに形成された取付孔２７が穿設されている。同様に、図３に示すように、Ｖカバー２５の稜線２６には、Ｖ字状のバッフル本体４２に形成されたと同一形状からなる取付孔２７が穿設されている。
【００２３】
Ｖカバー２５又はバッフル本体４２の稜線近傍に形成された取付孔２７には、図１及び図３に示すように、上部からモールド部品からなる集収部材３５が着脱可能に挿入して取付けられる。なお、モールド部品の材料は、送信信号が透過する、例えば、透明或いは乳白色からなる塩化ビニールでモールドされている。送信信号は、従来技術と同様に、例えば、赤外線から構成している。
【００２４】
集収部材３５は、図４に示すように、Ｖカバー２５又はバッフル本体４２の内面に沿った形状からなる略Ｖ字形状をなす板状の支持部３７と、この支持部３７の中央から下方に向け突出する有底状の略円筒形凸部３６とから構成している。なお、この略円筒形凸部３６の根元部外面は、Ｖカバー２５又はバッフル本体４２に形成された取付孔２７に嵌合する形状になっている。また、集収部材の略円筒形凸部３６は、内部が円筒形を有するものでなくてもよい。換言すれば、下方に向けて凸状に突出している形状であればよい。
【００２５】
集収部材３５を取付孔２７に取付けるには、図３に示すように、当該集収部材の略円筒形凸部３６を下方にし、Ｖカバー２５又はバッフル本体４２の内側から略円筒形凸部３６をＶカバー又はバッフル本体の取付孔２７に挿入するだけでよい。
【００２６】
集収部材３５をＶカバー又はバッフル本体に取付けた状態では、集収部材の支持部３７下面は、Ｖカバー又はバッフル本体の内面に沿って当接するとともに、略円筒形凸部３６は取付孔２７に嵌め込まれているため、集収部材３５は、Ｖカバー又はバッフル本体に安定した状態で装着される。
【００２７】
つぎに、照明器具をリモコンで操作する方法を説明する。
【００２８】
照明器具を遠隔操作するリモコン４５は、図５及び図７に示すように、当該リモコン上面に設けられた通常のマニュアル操作をするスイッチ部４６と、当該リモコン先端に設けられた送信部５０とから構成され、当該リモコンの内部には、当該スイッチ部４６からの信号を送信部５０から電波として発信させる制御部５１が内蔵されている。
【００２９】
前記スイッチ部４６は、上部に取付けられたランプを点滅させるＯＮーＯＦＦスイッチ４７と、中間に取付けられたランプの照度を段階的に明るくする三角形状の押釦スイッチ４８と、下方に取付けられたランプの照度を段階的に暗くする逆三角形状の押釦スイッチ４９とから構成している。
【００３０】
リモコン４５は、図５に示すように、当該リモコンの先端をカバー部としてのＶカバー又はＶ字状バッフル本体から突出して取付けられている集収部材３５に向けてセットする。
【００３１】
それから、リモコン４５の送信部から送信信号を送信し、集収部材３５を経て当該集収部材の上部に内蔵されているリモコン受信部１０に送信される。
【００３２】
なお、リモコン受信部１０に光信号を送る送信部５０には、例えば、離れた場所に信号を送るテレビやＶＴＲなどのリモコンに使用されている赤外線の発光ダイオードが使用されている。
【００３３】
図７は本発明の遠隔操作可能とする照明器具に係るシステム図を示すもので、リモコン４５は、通常のマニュアル操作をするスイッチ部４６と、当該リモコンの先端に設けられた送信部５０とから構成され、例えば、天井側に取付けられる照明器具には、リモコン受信部１０と制御ユニット１８と明りセンサ３２とランプ４とから構成されている。
【００３４】
リモコンのＯＮーＯＦＦスイッチ４７をＯＮ状態にすると、この「ＯＮ」信号が制御部５１で送信部５０から発信可能な赤外線からなる光信号に変換され、離れた場所にある照明器具のリモコン受信部１０に送られ、制御ユニット１８を経てランプ４を標準状態で点灯させる。
【００３５】
同時に、照明器具に取付けられている明りセンサ３２が当該照明器具の下方周囲の明暗状態を検出し、この明暗状態の信号を制御ユニット１８に送る。この制御ユニット１８では、標準状態で点灯しているランプ４の照度を明りセンサ３２で検知した明暗に応じてランプの照度を暗くしたり明るくしたりランプが維持する照度範囲内でランプの調光を行う。
【００３６】
つぎに、三角形の押釦スイッチ４８を押すと、制御部５１を経て送信部５０から、この情報を信号としてリモコン受信部１０を経て制御ユニット１８に送られ、ランプ４の照度をアップする。アップしたランプの照度を基準にして明りセンサで検知した明暗に応じてランプの照度を暗くしたり明るくしたりする制御を行う。
【００３７】
同様に、逆三角形の押釦スイッチ４９を押すと、制御部５１を経て送信部５０からこの情報を信号としてリモコン受信部１０を経て制御ユニット１８に送られ、ランプの照度をダウンする。ダウンしたランプの照度を基準にして明りセンサで検知した明暗に応じてランプの照度を暗くしたり明るくしたりする制御を行う。
【００３８】
つぎに、集収部材の作用を図５および図６を参照して説明する。
【００３９】
モールド部品からなる集収部材３５は、リモコン受信部１０の受光部１１と対向するカバー部としてのＶカバー２５又はＶ字状のバッフル本体４２には、当該Ｖカバー又はＶ字状のバッフル本体から下方に向けて突出して取付けられている。
【００４０】
このように、集収部材３５は、Ｖカバー又はＶ字状のバッフル本体から凸状に突出していることから、従来技術のようにリモコン受信部がセードのようなカバーで覆われリモコン受信部の位置が特定できず、操作性が悪いということはなく、リモコンから発せられる送信信号を拾いやすくなり、リモコンの検知範囲が定まるという効果を奏する。
【００４１】
また、リモコン受信部１０は、集収部材３５とカバー部としてのＶカバー又はＶ字状のバッフル本体とで覆われる位置に配したので、外観を損なわないという効果を奏する。
【００４２】
更に、図６に示すように、集収部材の略円筒形凸部３６の内部が、円筒になっていることから、当該円筒状内面３６ａに当該略円筒凸部を透過してきた送信信号が反射し、リモコン受信部の受光部に送信信号が集中しやすくなるという効果を奏する。
【００４３】
請求項２記載の照明器具の集収部材は、器具本体に取付けられるＶカバー又はＶ字状のバッフル本体の外方に突出する略円筒形凸部と当該Ｖカバー又はＶ字状のバッフル本体の内面に沿った形状を有する支持部とからなる形状としたので、集収部材は、Ｖカバー又はバッフル本体に安定した状態で装着される。
【００４４】
また、略円筒形凸部から出た送信信号は、集収部材の支持部に邪魔されることがないので、リモコン受信部の受光部に送信信号が集中しやすくなるという効果を奏する。
【００４５】
なお、図１０に示すものは、本発明の参考例を示すもので、リモコン受信部１０は、器具本体１５と別体に設けられたセンサボックス５５内に内蔵されている。即ち、リモコン受信部１０は、下方開口したセンサボックス本体５６内に取付けられるとともに、当該センサボックス本体５６の下方開口を覆って取付けられるカバー部としてのセンサボックス蓋５７の中央には、当該センサボックス蓋５７から下方に突出した略円筒形凸部３６と当該センサボックス蓋の内面に沿って取付けられる支持部３７とからなる集収部材３５が取付けられているものである。
【００４６】
【発明の効果】
以上詳記したように請求項１記載の本発明によれば、天井埋込形照明器具において、リモコン受信部の受光部と対向するＶカバー又はＶ字状のバッフル本体から外方に突出するモールド部品からなる集収部材を設けたので、以下の効果を奏する。
【００４７】
第１に、リモコン受信部の位置が特定できることから、リモコンから発せられる送信信号を拾いやすくなり、リモコンの検知範囲が定まる。
【００４８】
第２に、リモコン受信部は、カバー部としてのＶカバー又はＶ字状のバッフル本体と集収部材とで覆われる位置に配したので、外観を損なわない。
【００４９】
請求項２記載の本発明によれば、集収部材は、Ｖカバー又はバッフル本体の下方に突出する略円筒形凸部と当該Ｖカバー又はバッフル本体の内面に沿った形状を有する支持部とから形成したので、当該集収部材は、Ｖカバー又はバッフル本体に安定した状態で装着される。
【図面の簡単な説明】
【図１】本発明の第１実施の形態に係る照明器具の構成を示す側面断面図。
【図２】同第１実施の形態における照明器具のリモコン受信部の取付部材を示す分解斜視図。
【図３】同第１実施の形態におけるＶカバーに集収部材を取付ける状態を示す側面断面図。
【図４】同第１実施の形態における集収部材を示すもので、
（Ａ）は正面図。  （Ｂ）は上面図。  （Ｃ）は側面図。
【図５】同第１実施の形態における照明器具に向けてリモコンを操作している状態を示す平面図。
【図６】同第１実施の形態におけるＶカバーに取付けた集収部材を経てリモコン受信部に送信信号が受光する状態を示す側面断面図。
【図７】本発明に係る遠隔操作する照明器具のシステムの構成を示すシステム図。
【図８】同第１実施の形態における照明器具を示す上面図。
【図９】同第１実施の形態における照明器具を示すもので、
（Ａ）は照明器具を示す斜視図。
（Ｂ）はセンサ一体形ランプソケットを示す斜視図。
（Ｃ）はセンサ一体形ランプソケットの中央に設けられたセンサ収納部を示す側面断面図。
【図１０】  本発明の参考例に係る照明器具の構成を示すもので、（Ａ）は斜視図。（Ｂ）はセンサ箱を示す正面断面図。
【図１１】第２の従来技術に係る照明器具を示す斜視図。
【図１２】第２の従来技術に係る照明器具を示すもので、
（Ａ）はリモコン受信部などが取付けられた器具本体を示す斜視図。
（Ｂ）はセードを示す斜視図。
（Ｃ）はリモコン受信部が取付けられた器具本体の一部を示す拡大斜視図。
【符号の説明】
１０…リモコン受信部，
１１…リモコン受信部の受光部，
１５…器具本体，
２５…Ｖカバー（カバー部），
２６…Ｖカバーの稜線，
２７…取付け部，
３５…集収部材，
３６…略円筒形凸部，
３７…支持部，
４０…バッフル，
４２…バッフル本体（カバー部），
４５…リモコン，
５７…センサボックス蓋（カバー部）。
【図１】
0003928266.tif 000002
【図２】
0003928266.tif 000003
【図３】
0003928266.tif 000004
【図４】
0003928266.tif 000005
【図５】
0003928266.tif 000006
【図６】
0003928266.tif 000007
【図７】
0003928266.tif 000008
【図８】
0003928266.tif 000009
【図９】
0003928266.tif 000010
【図１０】
0003928266.tif 000011
【図１１】
0003928266.tif 000012
【図１２】
0003928266.tif 000013